(57)【要約】【課題】ワイヤーなどの電気的接続部材の断線を防止することが可能な画像表示装置を提供する。【解決手段】液晶パネル１と、液晶パネル１に接続されたワイヤー７と、ワイヤー７を覆う保護樹脂９と、保護樹脂９を覆う保護カバー１２と、ワイヤー７と隣接する保護カバー１２の一部に設けられた開口部１４とを有し、開口部１４の周囲には開口部１４に向かって部分的に突出する突出部１５が設けられている画像表示装置とする。突出部１５により、保護樹脂９の硬化収縮に伴うワイヤー７の外部への露出などを防止することができる。【選択図】図２
2020038245.tif 000002
【特許請求の範囲】
【請求項１】
画像表示パネルと、
前記画像表示パネルに接続された電気的接続部材と、
前記電気的接続部材を覆う保護樹脂と、
前記保護樹脂を覆う保護カバーと、
前記電気的接続部材と隣接する前記保護カバーの一部に設けられた開口部と、
を有する画像表示装置であって、
前記開口部の周囲には、前記開口部に向かって部分的に突出する突出部が設けられている、
ことを特徴とする画像表示装置。
【請求項２】
前記突出部は、前記保護カバーの一部で形成されていることを特徴とする請求項１に記載の画像表示装置。
【請求項３】
前記突出部は、電子部品で形成されていることを特徴とする請求項１に記載の画像表示装置。
【請求項４】
前記開口部は、前記保護プレートの側面に設けられていることを特徴とする請求項１〜３の何れか一つに記載の画像表示装置。
【請求項５】
前記電気的接続部材は、ワイヤーであることを特徴とする請求項１〜４の何れか一つに記載の画像表示装置。
【発明の詳細な説明】
【技術分野】
【０００１】
本発明は、画像表示装置に関するものである。
【背景技術】
【０００２】
液晶表示パネルを回路基板へ固定し、液晶パネル上の電極と回路基板上の電極とをワイヤーにより接続した後、ワイヤーを保護するためにワイヤーに保護樹脂を塗布し、さらに保護樹脂を保護カバーで覆うことが従来より知られている。
【０００３】
図４は従来の液晶表示装置を示す(ａ）上面図、（ｂ）Ａ−Ａ断面図である。図４に示す液晶表示装置において、液晶パネル１は、表面に反射電極などの画素電極が形成されたシリコン基板から成る第一基板２と、それに相対する表面にＩＴＯ電極などの対向電極が形成されたガラス基板から成る第二基板３とを、所定の位置および間隔で周辺接着剤により貼り合せることで形成された隙間に液晶が封入された液晶パネルである。液晶パネル１は回路基板４に搭載され、第一基板２の上面に設けられた電極５と回路基板４の上面に設けられた電極６とはワイヤー７で電気的に接続され、第二基板３の下面に設けられた対向電極と回路基板４の上面に設けられた電極（不図示）とは導電性樹脂１１で接続され、回路基板４を介して画素電極と対向電極との間に電位差を与え、液晶の配向を制御することにより各種の画像表示が行われる。ワイヤー７はシリコン系又はエポキシ系樹脂などの保護樹脂９で覆われ、さらに保護樹脂９の上面は平板状の保護カバー１０で覆われ、保護樹脂９の側面は流れ防止樹脂８で覆われ保護されている。（例えば、特許文献１参照）
【０００４】
図５は従来の液晶表示装置を示す一部断面斜視図である。図５に示す液晶表示装置２１では、ガラス基板２２とガラス基板２３を貼り合せることで形成された隙間に液晶が封入されることで液晶パネルが構成され、ガラス基板２２の上面に駆動回路素子３３が搭載されると共にボンディングワイヤ３９でガラス基板２２と電気的に接続されている。ボンディングワイヤ３９は合成樹脂層４４で覆われ、さらに合成樹脂層４４の上面と一側面はカバー体４５で覆われ保護されている。合成樹脂層４４の一側面と直交する他側面はカバー体４５の側面に設けられた開口部から外部へ露出している。（例えば、特許文献２参照）
【先行技術文献】
【特許文献】
【０００５】
【特許文献１】特開２０１４−１６４３５
【特許文献２】実開平５−２００３３
【発明の概要】
【発明が解決しようとする課題】
【０００６】
図４に示す従来の液晶表示装置では、保護樹脂９の側面が流れ防止樹脂で完全に覆われているため保護樹脂９に気泡が混入し易く、気泡に起因してワイヤー７が断線する恐れがある。
【０００７】
図５に示す従来の液晶表示装置では、カバー体４５の側面に設けられた開口部おいて合成樹脂層４４の硬化収縮によりボンディングワイヤ３９の一部が合成樹脂層４４から外部へ露出してしまい、それに起因してボンディングワイヤ３９が断線する恐れがある。
【０００８】
これらの問題は液晶パネルを液晶パネル以外の画像表示パネル（例えば有機ＥＬパネル）に置き換えた画像表示装置やワイヤーをワイヤー以外の電気的接続部材（例えばＦＰＣ）に置き換えた画像表示装置においても同様に起こり得る。
【０００９】
本発明は、以上の問題点に鑑みたもので、ワイヤーなどの電気的接続部材の断線を防止することが可能な画像表示装置を提供することを目的とする。
【課題を解決するための手段】
【００１０】
画像表示パネルと、前記画像表示パネルに接続された電気的接続部材と、前記電気的接続部材を覆う保護樹脂と、前記保護樹脂を覆う保護カバーと、前記電気的接続部材と隣接する前記保護カバーの一部に設けられた開口部と、を有する画像表示装置であって、前記開口部の周囲には、前記開口部に向かって部分的に突出する突出部が設けられている、画像表示装置とする。
【００１１】
前記突出部は、前記保護カバーの一部で形成されている画像表示装置であっても良い。
【００１２】
前記突出部は、電子部品で形成されている画像表示装置であっても良い。
【００１３】
前記開口部は、前記保護プレートの側面に設けられている画像表示装置であっても良い。
【００１４】
前記電気的接続部材は、ワイヤーである画像表示装置であっても良い。
【発明の効果】
【００１５】
本発明によれば、ワイヤーなどの電気的接続部材の断線を防止することができる。
【図面の簡単な説明】
【００１６】
【図１】本発明の一実施例における液晶表示装置を示す上面図
【図２】本発明の一実施例における液晶表示装置を示す（ａ）側面図、（ｂ）正面図
【図３】本発明の一実施例における保護カバーを示す（ａ）上面図、（ｂ）下面図
【図４】従来の液晶表示装置を示す(ａ)上面図、（ｂ）Ａ−Ａ断面図
【図５】従来の液晶表示装置を示す一部断面斜視図
【発明を実施するための形態】
【００１７】
図１は本発明の一実施例における液晶表示装置を示す上面図、図２は本発明の一実施例における液晶表示装置を示す（ａ）側面図、（ｂ）Ａ−Ａ断面図、図３は本発明の一実施例における保護カバーを示す図（ａ）上面図、（ｂ）下面図である。尚、図２（ａ）側面図は図１において液晶表示装置を紙面下側から見た状態を示す図であり、図２（ｂ）正面図は図１において液晶表示装置を紙面右側から見た状態を示す図である。本発明の一実施例における液晶表示装置において、液晶パネル１は例えばシリコン基板から形成される第一基板２とガラス基板から形成される第二基板３とを、それぞれの表面に形成された画素電極と対向電極を対向させて互いに貼り合わせることで形成された隙間に液晶を封入したものである。液晶パネル１は第一基板２を下側にして回路基板４に搭載されている。第二基板３の一端部は第一基板２の一端部よりも横方向へ突出しており、その突出した部分の下面に外部接続用の電極が設けられ、その電極は回路基板４の上面に設けられた電極と導電性樹脂１１により電気的に接続されている。第一基板２の他端部は第二基板２の他端部よりも横方向へ突出しており、その突出した部分の上面に外部接続用の電極が設けられ、その電極は回路基板４の上面に設けられた電極とワイヤー７により電気的に接続されている。
【００１８】
ワイヤー７は保護樹脂９で覆われ、さらに保護樹脂９の上面と一側面は保護カバー１２で覆われている。保護カバー１２は上面から見て長方形であり、保護カバー１２の下面には、回路基板４の上面と対向する領域に肉厚な第一部分１２ａが一体的に形成され、さらに第一基板２の上面と対向する領域に肉厚な第二部分１２ｂが一体的に形成されている。保護カバー１２の第一部分１２ａは回路基板４の上面に搭載され、必要に応じて接着剤により接着されている。保護カバー１２の第二部分１２ｂは第一基板２の上面に搭載され、必要に応じて接着剤により接着されている。保護カバー１２の第一部分１２ａと第二部分１２ｂとの間の領域は空洞になっており、その空洞にワイヤー７が収容されると共に保護樹脂９が充填されている。保護樹脂９は例えば熱硬化性の樹脂である。
【００１９】
保護カバー１２の上面には外部からワイヤー７に保護樹脂９を注入して塗布するための注入口１３が設けられている。注入口１３の形状は複数のワイヤー７の配列方向に沿って延在する長穴形状となっている。保護カバー１２を回路基板４に取り付けた後に注入口１３を介してワイヤー７の上部から保護樹脂９を塗布することができる。
【００２０】
保護カバー１２の側面にはワイヤー７と隣接する位置に概ね長方形の開口部１４が設けられている。開口部１４を介して保護樹脂９の塗布状況を確認したり、保護樹脂９に混入した気泡を外部へ排出したり、保護樹脂９を注入したりすることができる。
【００２１】
保護カバー１２の開口部１４に隣接する第一部分１２ａの端部には突出部１５が一体的に形成されている。突出部１５はワイヤー７の延在方向に位置する第一部分１２ａの内壁面から開口部１４へ向かって部分的に突出し、その分だけ開口部１４の幅が部分的に狭くなっている。開口部１４が部分的に狭くなることにより外部と連通する吹き抜け空間が部分的に狭くなるため、その分だけワイヤー７の外部への露出を抑えることができる。また、保護樹脂９が突出部１５に付着して表面張力が作用するため、保護樹脂９が硬化収縮する際に保護樹脂９がワイヤー７側へ引き込まれて外側のワイヤー７が外部へ露出するのを防止することができる。また、保護樹脂９をワイヤー７に塗布する際に保護樹脂９が保護カバー１２の開口部１４から外部へ漏れ出すのを防止することができる。また、突出部１５は開口部１４の周囲に部分的に設けられているだけであるため、突出部１５が設けられていないその他の部分については、ワイヤー７と保護樹脂９の十分な収容空間を確保することができると共に、保護樹脂９に混入した気泡を外部へ排出したりする開口としての機能を保つことができる。
【００２２】
保護樹脂９を黒色などの有色のものとし、保護カバー１２を無色透明のものとすれば、保護カバー１２を透かして保護樹脂９の注入状態を容易に確認することができる。
【００２３】
保護カバー１２の突出部１５は保護カバー１２とは異なる他の部品等により構成されても良い。他の部品等としては、例えば回路基板４に予め実装されている電子部品であっても良い。但し、突出部１５は保護カバー１２と一体的に形成されていた方が部品点数やコストの削減、構造的安定性の向上に繋がる。
【００２４】
保護カバー１２の突出部１５は、上述の実施例における位置とは異なる位置に設けられていても良い。例えば保護カバー１２の突出部１５は保護カバー１２の一側面側の開口部１４とは反対側に位置する開口部１４に隣接する第一部分１２ａの端部に設けられていても良い。また、保護カバー１２に設けられた注入口１３の周囲には突出部１５と同様の役割を果たす突出部が注入口１３に向かって突出するように設けられていても良い。
【００２５】
保護カバー１２の表面状態を部分的に変更（例えば粗面化）すれば保護樹脂９の塗布状態を部分的に制御することができる。例えば保護カバー１２の突出部１５の表面を粗面化すれば、突出部１５と保護樹脂９との密着性が向上するため、保護樹脂９がワイヤー７側へ引き込まれることや外部へ漏れ出すことをより効果的に防止することができる。
【００２６】
本発明は液晶パネル１をその他の画像表示パネル（例えば有機ＥＬパネル）に置き換えた画像表示装置やワイヤー７をその他の電気的接続部材（例えばＦＰＣ）に置き換えた画像表示装置にも適用することが可能である。
【符号の説明】
【００２７】
１    液晶パネル
２    第一基板
３    第二基板
４    回路基板
５    電極
６    電極
７    ワイヤー
８    流れ防止樹脂
９    保護樹脂
１０    保護カバー
１１    導電性樹脂
１２    保護カバー
１２ａ  第一部分
１２ｂ  第二部分
１３    注入口
１４    開口部
１５    突出部
２２    ガラス基板
２３    ガラス基板
３３    駆動回路素子
３９    ボンディングワイヤ
４４    合成樹脂層
４５    カバー体
【図１】
2020038245.tif 000003
【図２】
2020038245.tif 000004
【図３】
2020038245.tif 000005
【図４】
2020038245.tif 000006
【図５】
2020038245.tif 000007